(57)【要約】【課題】  データ保存以外の実用機能を具えたペンドライブの提供。【解決手段】  インタフェース装置を具えたメモリモジュールと、メモリモジュールを収容する容器を具え、該容器の上端に開口が有り、該開口がエンドキャップで閉じられ、容器外部に挟持手段が設けられ、ポケットを挟むのに便利であり、該容器の下端にコネクタが設けられて開封用ペーパーナイフ、キーホルダー、ネジ回し、文具、レーザーポインタ、リップクリーム或いは懐中電灯を接続することができる。【選択図】        図３
2004348724.tif 000002
【特許請求の範囲】
【請求項１】
ペンドライブにおいて、該ペンドライブはメモリモジュールとキャップを具え、
該メモリモジュールはインタフェース装置と、該メモリモジュールを包囲するケースを具え、該ケースが二つの対立する開口を具え、そのうち第１開口はインタフェース装置を伸出させ、第２開口はプラグで塞がれ、該プラグが紐通し孔を具え、
該キャップは着脱自在に該ケースに嵌合されてインタフェース装置を被覆することを特徴とする、ペンドライブ。
【請求項２】
請求項１記載のペンドライブにおいて、プラグが固定手段と、固定手段に回転自在に支持された可動手段を具え、該可動手段が紐通し孔を具えたことを特徴とする、ペンドライブ。
【請求項３】
請求項１記載のペンドライブにおいて、ケースの表面に凹エリアが設けられて透明蓋が着脱自在に嵌め込まれて物置きエリアを画定したことを特徴とする、ペンドライブ。
【請求項４】
請求項１記載のペンドライブにおいて、プラグが透光性を具えると共に放熱孔を具えたことを特徴とする、ペンドライブ。
【請求項５】
請求項２記載のペンドライブにおいて、プラグの固定手段が透光性を具えると共に、可動手段に結合された装飾物を具えたことを特徴とする、ペンドライブ。
【請求項６】
請求項３記載のペンドライブにおいて、ケースが挟持手段を具えたことを特徴とする、ペンドライブ。
【請求項７】
ペンドライブにおいて、該ペンドライブはメモリモジュールと容器を具え、
該メモリモジュールはインタフェース装置を具え、
該容器はメモリモジュールを収容し、該容器の上端開口がエンドキャップで閉じられ、下端に物品を接続可能なコネクタが設けられたことを特徴とする、ペンドライブ。
【請求項８】
請求項７記載のペンドライブにおいて、コネクタに物品との接続用のネジ部が設けられたことを特徴とする、ペンドライブ。
【請求項９】
請求項７記載のペンドライブにおいて、インタフェース装置が容器の上端開口より突出し、並びにエンドキャップで被覆されたことを特徴とする、ペンドライブ。
【請求項１０】
請求項７記載のペンドライブにおいて、コネクタは中空状とされてインタフェース装置を容器から突出させることを特徴とする、ペンドライブ。
【請求項１１】
請求項７記載のペンドライブにおいて、容器が挟持手段を具えたことを特徴とする、ペンドライブ。
【請求項１２】
請求項７記載のペンドライブにおいて、エンドキャップより上向きに突出するよう尖端が形成されたことを特徴とする、ペンドライブ。
【請求項１３】
請求項７記載のペンドライブにおいて、接続される物品が、開封用ペーパーナイフ、キーホルダー、ネジ回し、文具、レーザーポインタ、リップクリーム或いは懐中電灯のいずれかとされたことを特徴とする、ペンドライブ。
【請求項１４】
ペン型ペンドライブにおいて、該ペン型ペンドライブはメモリモジュールと筆記具を具え、
該メモリモジュールはインタフェース装置を具え、
該筆記具は握持部と芯を具え、該握持部が上端に開口を具えた中空室を具えてメモリモジュールを収容し、並びに中空室の開口を封じるエンドキャップを具えたことを特徴とする、ペン型ペンドライブ。
【請求項１５】
請求項１４記載のペン型ペンドライブにおいて、インタフェース装置が握持部の上方より突出し、並びにエンドキャップにより被覆されたことを特徴とする、ペン型ペンドライブ。
【請求項１６】
請求項１４記載のペン型ペンドライブにおいて、握持部が上バレルと下バレルが接続されてなり、メモリモジュールが分離可能に上バレルの下端開口より挿入され位置決めされたことを特徴とする、ペン型ペンドライブ。
【請求項１７】
請求項１４記載のペン型ペンドライブにおいて、メモリモジュールがエンドキャップ内に取り付けられ、且つインタフェース装置がエンドキャップ下方より突出することを特徴とする、ペン型ペンドライブ。
【発明の詳細な説明】
【技術分野】
【０００１】
本発明は一種の携帯型記憶装置、特に、ペンドライブに関する。
【背景技術】
【０００２】
コンピュータ使用者はデータ或いはファイルを別のコンピュータに移して作業を行ないたい時、通常データ或いはファイルを保存メディア（例えばフレキシブルディスク或いはＣＤ）に複製し、更にその保存メディアを別のコンピュータに挿入し、内部のデータ或いはファイルの読み取り、複製を行なう。当然、電子メール方式でデータ或いはファイルを伝送することもできるが、データが膨大である時には送信と受信に時間がかかる。
【０００３】
現在、コンピュータ周辺テクノロジーの高度な発展により、習慣的にペンドライブと称されるデータ保存装置が上述の問題を解決する。ペンドライブはＵＳＢインタフェースを使用し、非常に大きなメモリ空間を具え、フレキシブルディスクドライブのアクセス速度よりもずっと速い。ペンドライブはプラグアンドプレイのコンピュータ外接設備であり、コンピュータのＵＳＢポートに差し込むだけでハードディスク内よりデータを読み取ってペンドライブに保存したり、ペンドライブ中のデータをハードディスクに転送できる。
【０００４】
図１は周知のペン型ペンドライブ８０である。このペン型ペンドライブは筆記具８１とメモリモジュール８２を組合せてなる。そのうち、筆記具８１の握持部は上バレル８３と下バレル８４が接続されてなる。芯８５は下バレル８４に取り付けられ、メモリモジュール８２は上バレル８３内に固定される。そのインタフェース装置８６は下バレル８５に挿入される。これによりメモリモジュール８２にデータを保存する時は、上、下バレル８３、８４を分離する必要があり、この時、同時に筆記具８１で筆記したい時は、手で握る下バレル８４の長さがもとの握持部の半分しかないため、握持に不利である。
【０００５】
図２は別の周知の別のペンドライブ９０を示し、このペンドライブ９０はメモリモジュール９１とキャップ９３を具えたケース９２を具えて、メモリモジュール９１を保護している。使用時には、キャップ９３を取り外し、インタフェース装置９４によりコンピュータと接続すればプラグアンドプレイ機能を実行できる。ペンドライブ９０はデータ保存の機能のみを有し、実用価値及び経済効果は比較的低い。
【発明の開示】
【発明が解決しようとする課題】
【０００６】
本発明の目的は、メモリモジュールと筆記具で組成されたペン型ペンドライブを提供することにあり、該ペン型ペンドライブはメモリモジュールを筆記具に取り付けるか或いは筆記具より分離して使用でき、メモリモジュールを独立使用する時も筆記具は完全なペン型を維持でき、筆記具のもとの長さを保持し、握持筆記に便利であるものとする。
【０００７】
本発明の別の目的は、メモリモジュールと容器で組成されたペンドライブを提供することにあり、該ペンドライブはメモリモジュールを容器に取り付けるか或いは容器より分離させることができ、該容器にコネクタが設けられて、該コネクタにより開封用ペーパーナイフ、キーホルダー、ネジ回し、文具、レーザーポインタ、リップクリーム或いは懐中電灯を接続でき、ペンドライブにデータ保存の基本機能のほかに、別の実用機能が追加されたものとする。
【課題を解決するための手段】
【０００８】
請求項１の発明は、ペンドライブにおいて、該ペンドライブはメモリモジュールとキャップを具え、
該メモリモジュールはインタフェース装置と、該メモリモジュールを包囲するケースを具え、該ケースが二つの対立する開口を具え、そのうち第１開口はインタフェース装置を伸出させ、第２開口はプラグで塞がれ、該プラグが紐通し孔を具え、
該キャップは着脱自在に該ケースに嵌合されてインタフェース装置を被覆することを特徴とする、ペンドライブとしている。
請求項２の発明は、請求項１記載のペンドライブにおいて、プラグが固定手段と、固定手段に回転自在に支持された可動手段を具え、該可動手段が紐通し孔を具えたことを特徴とする、ペンドライブとしている。
請求項３の発明は、請求項１記載のペンドライブにおいて、ケースの表面に凹エリアが設けられて透明蓋が着脱自在に嵌め込まれて物置きエリアを画定したことを特徴とする、ペンドライブとしている。
請求項４の発明は、請求項１記載のペンドライブにおいて、プラグが透光性を具えると共に放熱孔を具えたことを特徴とする、ペンドライブとしている。
請求項５の発明は、請求項２記載のペンドライブにおいて、プラグの固定手段が透光性を具えると共に、可動手段に結合された装飾物を具えたことを特徴とする、ペンドライブとしている。
請求項６の発明は、請求項３記載のペンドライブにおいて、ケースが挟持手段を具えたことを特徴とする、ペンドライブとしている。
請求項７の発明は、ペンドライブにおいて、該ペンドライブはメモリモジュールと容器を具え、
該メモリモジュールはインタフェース装置を具え、
該容器はメモリモジュールを収容し、該容器の上端開口がエンドキャップで閉じられ、下端に物品を接続可能なコネクタが設けられたことを特徴とする、ペンドライブとしている。
請求項８の発明は、請求項７記載のペンドライブにおいて、コネクタに物品との接続用のネジ部が設けられたことを特徴とする、ペンドライブとしている。
請求項９の発明は、請求項７記載のペンドライブにおいて、インタフェース装置が容器の上端開口より突出し、並びにエンドキャップで被覆されたことを特徴とする、ペンドライブとしている。
請求項１０の発明は、請求項７記載のペンドライブにおいて、コネクタは中空状とされてインタフェース装置を容器から突出させることを特徴とする、ペンドライブとしている。
請求項１１の発明は、請求項７記載のペンドライブにおいて、容器が挟持手段を具えたことを特徴とする、ペンドライブとしている。
請求項１２の発明は、請求項７記載のペンドライブにおいて、エンドキャップより上向きに突出するよう尖端が形成されたことを特徴とする、ペンドライブとしている。
請求項１３の発明は、請求項７記載のペンドライブにおいて、接続される物品が、開封用ペーパーナイフ、キーホルダー、ネジ回し、文具、レーザーポインタ、リップクリーム或いは懐中電灯のいずれかとされたことを特徴とする、ペンドライブとしている。
請求項１４の発明は、ペン型ペンドライブにおいて、該ペン型ペンドライブはメモリモジュールと筆記具を具え、
該メモリモジュールはインタフェース装置を具え、
該筆記具は握持部と芯を具え、該握持部が上端に開口を具えた中空室を具えてメモリモジュールを収容し、並びに中空室の開口を封じるエンドキャップを具えたことを特徴とする、ペン型ペンドライブとしている。
請求項１５の発明は、請求項１４記載のペン型ペンドライブにおいて、インタフェース装置が握持部の上方より突出し、並びにエンドキャップにより被覆されたことを特徴とする、ペン型ペンドライブとしている。
請求項１６の発明は、請求項１４記載のペン型ペンドライブにおいて、握持部が上バレルと下バレルが接続されてなり、メモリモジュールが分離可能に上バレルの下端開口より挿入され位置決めされたことを特徴とする、ペン型ペンドライブとしている。
請求項１７の発明は、請求項１４記載のペン型ペンドライブにおいて、メモリモジュールがエンドキャップ内に取り付けられ、且つインタフェース装置がエンドキャップ下方より突出することを特徴とする、ペン型ペンドライブとしている。
【発明の効果】
【０００９】
本発明は、メモリモジュールと筆記具で組成されたペン型ペンドライブを提供し、該ペン型ペンドライブはメモリモジュールを筆記具に取り付けるか或いは筆記具より分離して使用でき、メモリモジュールを独立使用する時も筆記具は完全なペン型を維持でき、筆記具のもとの長さを保持し、握持筆記に便利である。
【００１０】
本発明はまた、メモリモジュールと容器で組成されたペンドライブを提供し、該ペンドライブはメモリモジュールを容器に取り付けるか或いは容器より分離させることができ、該容器にコネクタが設けられて、該コネクタにより開封用ペーパーナイフ、キーホルダー、ネジ回し、文具、レーザーポインタ、リップクリーム或いは懐中電灯を接続でき、ペンドライブにデータ保存の基本機能のほかに、別の実用機能が追加されている。
【発明を実施するための最良の形態】
【００１１】
本発明の目的を実現するペンドライブは、メモリモジュールとキャップを具え、該メモリモジュールは、インタフェース装置、メモリモジュールを包囲するケースを具え、該ケースは二つの対立する開口を具え、第１開口はインタフェース装置の伸出を許容し、第２開口はプラグで閉じられ、該プラグに紐通し孔が設けられ、該キャップはケースに取り外し自在に嵌合されてインタフェース装置を被覆する。
【００１２】
別の実施例では、ペンドライブはインタフェース装置を具えたメモリモジュール、及び、メモリモジュールを収容する容器を具え、該容器の上端開口がエンドキャップで閉じられ、下端にコネクタが設けられ、該コネクタは物品との接続に供される。
【００１３】
本発明はまたペン型ペンドライブを提供し、それは、インタフェース装置を具えたメモリモジュール、及び握持部と芯を具えた筆記具を具え、該握持部が中空室を提供してメモリモジュールを収容し、並びに該筆記具は中空室の開口を閉じるためのエンドキャップを具え、該エンドキャップがインタフェース装置を被覆する。
【実施例１】
【００１４】
図３及び図４に示されるように、本発明のペンドライブ１０は、メモリモジュール１１及びキャップ２１を具えている。そのうち、メモリモジュール１１はプリント基板１２、該プリント基板１２に設けられた少なくとも一つのメモリ１３、インタフェース装置、読み書き指示ランプ１５、及び必要な電子装置と回路で組成されている。これにより、メモリモジュール１１はインタフェース装置１４を通してコンピュータの入出力ポートに接続され、コンピュータのハードディスクよりデータをメモリ１３に読み取り、複製したり、或いはメモリ１３よりデータをハードディスクに複製することができる。この技術は従来の技術に属するため、これ以上の説明は省略する。
【００１５】
メモリモジュール１１はまたケース１６を具え、該ケース１６は、二つの対立する開口を具えている。そのうち、第１開口１７はインタフェース装置１４をケース１６より突出させる。上述のキャップ２１はケース１６に着脱自在に嵌合されてインタフェース装置１４を被覆する。第２開口３５はプラグ１８で閉じられ、該プラグ１８は透明材料で形成されて透光性を具え、読み書き指示ランプ１５が発生する光線を透過させる。プラグ１８は放熱孔１９と紐通し孔２０を具え、放熱孔１９はメモリモジュール１１の放熱を助ける一方で、光線のプラグ１８への拡散に有利である。紐通し孔２０は紐、帯或いはチェーンを該プラグ１８に通してペンドライブ１０を胸部の前に掛けたり、或いはペンドライブ１０をキーホルダ（図示せず）に接続するのに用いられる。
【００１６】
図５は図４に近似のペンドライブ３０の断面図である。該ペンドライブ３０は別形態のプラグ２２を具え、該プラグ２２は固定手段２３及び可動手段２４で組成されている。そのうち、固定手段２３はケース１６に固定され、並びに取り付け孔２５を具え、該取り付け孔２５の内側が拡大されて肩部２６が形成されている。可動手段２４は相互に背向する係止突起２７を具え、該係止突起２７は強制的に取り付け孔２５を通過させられてその末端の係止部２８が肩部２６と係合し、これにより活動手段２４が固定手段２３に指示されて回転可能とされる。可動手段２４は並びに放熱孔１９と紐通し孔２０を具えている。別の実施例では、装飾物（図示せず）が可動手段２４に結合されてペンドライブ３０の装飾性を増している。
【００１７】
図６に示されるように、断面がほぼ楕円形を呈するケース１６は凹エリア２９を具え、該凹エリア２９の両側に溝３２が設けられて透明蓋３１が着脱自在に嵌入され、これにより物置エリアが画定され、写真、ファイル名ストリップ、広告或いは装飾物用印刷物（図示せず）が放置される。本実施例中、ケース１６は挟持手段３３を具え、ペンドライブ３０をポケット或いはファイルに掛けるのに便利とされている。
【００１８】
図７は本発明の別形態のペンドライブ４０を示す。該ペンドライブ４０はメモリモジュール１１と容器４１で組成されている。そのうち、メモリモジュール１１は上述の実施例と同じであるため重複した説明は省略する。容器４１は挟持手段４２を具え、ペンドライブ４０をポケットに掛けて携行するのに便利である。容器４１内部には中空室４３が画定されてメモリモジュール１１を収容し、並びに二つの対立する開口を具え、上端開口４８はエンドキャップ４４により閉じられ、エンドキャップ４４を取り外せばメモリモジュール１１を使用できる。下端開口４８にはコネクタ４５が設けられて物品の接続に供される。図８はペンドライブ４０に開封用ペーパーナイフ５０を接続した例を示し、並びに開封用ペーパーナイフ５０に粗い表面（図示せず）を賦与し、爪やすりとして使用可能としている。本実施例では、コネクタ４５がネジ部４６を提供し、接続する物品を着脱自在にペンドライブ４０と一体に結合可能としている。当然、接続する物品には対応するネジ部１７が設けられる。
【００１９】
図７中、ペンドライブ４０のインタフェース装置１４は容器４１上方より突出しているが、メモリモジュール１１は倒置されて容器４１に挿入されるため、インタフェース装置１４が容器４１下方より突出し、その状況は図９に示されるとおりである。本実施例でも、ペンドライブ４０はコネクタ４５を利用して物品に接続可能であり、コネクタ４５は中空とされてインタフェース装置１４を容器４１下方より突出させる。これにより、接続物品を取り外せばメモリモジュール１１の保存データを使用できる。当然、メモリモジュール１１は容器４１中より引き出して使用可能である。図９にはペンドライブ４０が筆記具６０に接続された形態が示される。エンドキャップ４４の上方には尖端（図示せず）が形成され、ＰＤＡ或いはタッチパネル上をクリックするのに便利である。
【００２０】
なお、図８及び図９中、ペンドライブに接続される物品の例示と説明は特定の物品の接続に制限するためのものではなく、その他のペンドライブが提供するコネクタに接続できる物品、例えばキーホルダー、レーザーポインタ、ネジ回し、リップクリーム或いは懐中電灯も、本発明の精神と範囲に属する。
【００２１】
メモリモジュール１１は容器４１より分離して使用することも、容器４１に挿入して使用することもできるようにするため、容器４１内に一般にボールペンに採用されている弾性保持手段４７が設けられ、該保持手段４７はメモリモジュール１１が容器４１に挿入される時に弾性回復力を発生し、両者の間に干渉摩擦接触が形成され、メモリモジュール１１が容器４１内に保持され、並びに僅かな力でメモリモジュール１１が容器４１より引き出し可能とされる。図３及び図４に提示されるペンドライブ３０は、そのキャップ２１内部に弾性保持手段３４が設けられ、キャップ２１がケース１６に保持される。
【００２２】
本発明は更にペン型ペンドライブを影響する。図１０及び図１１に示されるように、該ペン型ペンドライブ７０は、二つの部分に分けられる。即ち、メモリモジュール１１及び筆記具７１である。そのうち、メモリモジュール１１は上述に詳しく説明したので、重複した説明は省略する。筆記具７１は握持部７２と芯７５を具え、該握持部７２は開口が上端に位置する中空室７３を提供し、メモリモジュール１１を収容し、並びに中空室７３の開口を閉じるエンドキャップ７４を具え、該エンドキャップ７４は該握持部７２より突出するインタフェース装置１４を被覆する。筆記具７１の中空室７３には弾性保持手段７６が設けられ、メモリモジュール１１を保持する。
【００２３】
これによりメモリモジュール１１は筆記具７１より分離されて単独使用可能であるほか、筆記具７１に挿入されて使用可能である。筆記具７１は終始完全なペン型を維持し、メモリモジュール１１の使用により握持部７２の長さが減少することはなく、使用者は快適に握持して筆記を行なうことができる。
【００２４】
なお、メモリモジュール１１の体積が大幅に縮小されている状況にあって、メモリモジュール１１はエンドキャップ７４内に収容可能で、インタフェース装置１４のみをキャップ７４の下方に保留してコンピュータとの接続に供することも可能である。本実施例では、ケース１６の機能を直接エンドキャップ７４で代用すればケース１６は必要なくなる。
【００２５】
図１２は別の形態のペン型ペンドライブ７９を示す。本実施例では、筆記具６５の握持部は上バレル７７と下バレル７８が周知の技術、例えばネジの嵌め合いにより接続されて分離自在とされている。芯７５は下バレル７８に支持される。メモリモジュール１１は上バレル７７の下端開口より上バレル７７の中空室６６に取り付けられ、並びに上バレル７７を分離して使用される。上バレル７７と下バレル７８を接続すると完全な筆記具６５に回復し、握持筆記に供される。
【００２６】
以上の実施例は本出願の特許請求の範囲を限定するものではなく、以上の実施例の発明に基づきなしうる細部の修飾或いは変化はいずれも本出願の特許請求の範囲に属するものとする。
【図面の簡単な説明】
【００２７】
【図１】周知のペン型ペンドライブの平面図である。
【図２】周知のペン型ペンドライブの立体図である。
【図３】本発明の実施例のペンドライブの立体図である。
【図４】図３のペンドライブの軸方向断面図である。
【図５】図４に近似のペンドライブの軸方向断面図である。
【図６】図５のＡ−Ａ断面図である。
【図７】本発明の別の実施例のペンドライブの軸方向断面図である。
【図８】図７のペンドライブに開封用ペーパーナイフを接続した実施例の軸方向断面図である。
【図９】図７のペンドライブに筆記具を接続した実施例の軸方向断面図である。
【図１０】本発明のまた別の実施例のペン型ペンドライブの軸方向断面図である。
【図１１】図１０のペン型ペンドライブの立体分解図である。
【図１２】図１１に近似のペン型ペンドライブの立体分解図である。
【符号の説明】
【００２８】
１０  ペンドライブ              １１  メモリモジュール
１２  プリント基板              １３  メモリ
１４  インタフェース装置        １５  読み書き指示ランプ
１６  ケース                    １７  第１開口
１８  プラグ                    １９  放熱孔
２０  紐通し孔                  ２１  キャップ
２２  プラグ                    ２３  固定手段
２４  可動手段                  ２５  取り付け孔
２６  肩部                      ２７  係止突起
２８  係止部                    ２９  凹エリア
３０  ペンドライブ              ３１  透明蓋
３２  溝                        ３３  挟持手段
３４  保持手段                  ３５  第２開口
４０  ペンドライブ              ４１  容器
４２  挟持手段                  ４３  中空室
４４  エンドキャップ            ４５  コネクタ
４６  ネジ部                    ４９  開口
５０  開封用ペーパーナイフ      ６０  筆記具
６５  筆記具                    ６６  中空室
７０  ペン型ペンドライブ        ７１  筆記具
７２  握持部                    ７３  中空部
７４  エンドキャップ            ７５  芯
７６  保持手段                  ７７  上バレル
７８  下バレル                  ７９  ペン型ペンドライブ
８０  ペン型ペンドライブ        ８１  筆記具
８２  メモリモジュール          ８３  上バレル
８４  下バレル                  ８５  芯
８６  インタフェース装置        ９０  ペンドライブ
９１  メモリモジュール          ９２  ケース
９３  キャップ
【図１】
2004348724.tif 000003
【図２】
2004348724.tif 000004
【図３】
2004348724.tif 000005
【図４】
2004348724.tif 000006
【図５】
2004348724.tif 000007
【図６】
2004348724.tif 000008
【図７】
2004348724.tif 000009
【図８】
2004348724.tif 000010
【図９】
2004348724.tif 000011
【図１０】
2004348724.tif 000012
【図１１】
2004348724.tif 000013
【図１２】
2004348724.tif 000014